(57)【要約】【課題】不平衡線路を介して給電する際に、給電部に平衡と不平衡の変換を行うバランを設ける必要がなく、アンテナの特性を向上することができると共に、小型化を図ることができるダイポールアンテナを提供する。【解決手段】  ダイポールアンテナ１００は、放射導体１０Ａ，１０Ｂは、線状放射導体１１，１２と、ヘリカル構造の導体１３，１４とから構成される。不平衡線路のグランドにつながる放射導体１０Ｂより、信号線につながる放射導体１０Ａの電気長を長くするように、電気長（または、インダクタンス）の異なるヘリカル構造の導体１３，１４が設けられる。この場合、ヘリカル構造の導体１３のインダクタンスは、ヘリカル構造の導体１４のインダクタンスよりも大きくなるようにされ、且つ信号線につながる放射導体１０Ａと、グランド線につながる放射導体１０Ｂとの合計電気長は２分の１波長になる。【選択図】        図１
2005260382.tif 000002
【特許請求の範囲】
【請求項１】
それぞれ共振周波数に対応する所定電気長を持つ２つの放射導体に不平衡線路を介して給電されるダイポールアンテナにおいて、
基本周波数の近傍での共振周波数を一つにするために、上記不平衡線路のグランド線につながる上記放射導体より、上記信号線につながる上記放射導体の電気長を長くするように、上記信号線につながる上記放射導体、または両方の上記放射導体の一部分が所定電気長のヘリカル構造の導体から構成される
ことを特徴とするダイポールアンテナ。
【請求項２】
上記ヘリカル構造の導体は、上記放射導体の中心よりも給電点に近い位置に配置される
ことを特徴とする請求項１に記載のダイポールアンテナ。
【請求項３】
上記ヘリカル構造の導体は、チップコイルである
ことを特徴とする請求項２に記載のダイポールアンテナ。
【請求項４】
上記チップコイルによって誘起される磁界の方向がその近傍にある金属面に対して平行であるように、上記チップコイルが配置される
ことを特徴とする請求項３に記載のダイポールアンテナ。
【請求項５】
上記放射導体は、中心よりも先端部に近い部分の導体幅が、給電点に近い部分の導体幅よりも広くなるように、容量負荷部が設けられる
ことを特徴とする請求項１に記載のダイポールアンテナ。
【発明の詳細な説明】
【技術分野】
【０００１】
この発明は、不平衡線路を介して給電されるダイポールアンテナに関する。詳しくは、不平衡線路のグランド線につながる放射導体より、信号線につながる放射導体の電気長を長くするように、信号線につながる放射導体、または両方の放射導体の一部分が所定電気長のヘリカル構造の導体から構成される構成とすることによって、ダイポールアンテナに不平衡線路を介して給電する際に、給電部に平衡と不平衡の変換を行うバランを設ける必要がなく、アンテナの特性を向上することができると共に、小型化を図ることができるようにしたダイポールアンテナに係るものである。
【背景技術】
【０００２】
移動体無線通信装置等に用いられる小型のアンテナとしては、従来から種々の構成のものが提案され用いられている。そのような小型のアンテナとして良く利用されるのは、チップアンテナがある。
【０００３】
チップアンテナは、放射導体を１つだけもつ４分の１波長型の小型アンテナであるが、アンテナが設置される基板のグランドに多くの電流が流れ、グランドも含めて１つのアンテナとして動作するため、アンテナを設置する位置や基板の大きさによってアンテナの特性が大きく異なり、基板のレイアウトが困難である。これに対して、４分の１波長の電気長の放射導体を２つ持ち、全体として２分の１波長となるダイポールアンテナはグランドに電流が流れないため、レイアウトが容易である。そのため、ダイポールアンテナは広く利用されている。
【０００４】
図６は、平衡線路を介してダイポールアンテナに給電する例を示す図である。図６に示すように、このダイポールアンテナ１は、実質的に４分の１波長の電気長の放射導体２，３に平衡線路４を介して給電される。この場合、平衡線路４によりダイポールアンテナ１に直接に給電することが可能である。
【０００５】
図７は、不平衡線路を介してダイポールアンテナに給電する例を示す図である。図７に示すように、このダイポールアンテナ１は、平衡と不平衡の変換を行うバラン５を介して、実質的に４分の１波長の電気長の放射導体２，３に不平衡線路６により給電される。この場合、不平衡線路６によりダイポールアンテナ１に直接に給電することができないため、平衡と不平衡の変換を行うバラン５を介して給電するようになされている。
【０００６】
また、小型化するために、アンテナ実寸に対して、等価的にアンテナ実効長を長くした携帯無線機器用アンテナが提案されている（例えば、特許文献１参照）。
【０００７】
この場合、ダイポールアンテナの給電端子側にローディング・コイルを設けることで、所望の同調周波数の電波の波長に対して、効率や利得を下げずに、アンテナ実寸に対して、等価的にアンテナ実効長を長くすることができ、小型化することができる。
【０００８】
【特許文献１】特開平９−３６６３０号公報（第４，５頁、第５図）
【発明の開示】
【発明が解決しようとする課題】
【０００９】
しかしながら、ダイポールアンテナは、チップアンテナに比べてサイズが大きいため、アンテナの設置スペースを十分にとることができない小型の携帯無線端末等に使うのが難しい。また、一般に、ダイポールアンテナの給電は平衡線路を用いるため、同軸ケーブル等の不平衡線路で直接に給電する時には、図８に示すように、アンテナの基本周波数の近傍に２つの周波数で共振点が発生するので、所望周波数の送受信に対して不都合である。この場合、給電部分に平衡と不平衡の変換を行うバランを挟んでアンテナとケーブルを接続しなければならないので、部品点数が増え、全体のサイズが大きくなるという問題点があった。
【００１０】
また、ダイポールアンテナでは、電流の流れる方向が一直線上にあるため、偏波の方向が一定であり、それと垂直な偏波を送受信することができないという欠点がある。
【００１１】
また、特許文献１の場合、コイルを設けることで、アンテナを小型化することができるが、同軸ケーブル等の不平衡線路で直接に給電することができなかった。
【００１２】
そこで、この発明は、不平衡線路を介して給電する際に、給電部に平衡と不平衡の変換を行うバランを設ける必要がなく、アンテナの特性を向上することができると共に、小型化を図ることができるようにしたダイポールアンテナを提供することを目的とする。
【課題を解決するための手段】
【００１３】
この発明に係るダイポールアンテナは、それぞれ共振周波数に対応する所定電気長を持つ２つの放射導体に不平衡線路を介して給電されるダイポールアンテナにおいて、基本周波数の近傍での共振周波数を一つにするために、不平衡線路のグランド線につながる放射導体より、信号線につながる放射導体の電気長を長くするように、信号線につながる放射導体、または両方の放射導体の一部分が所定電気長のヘリカル構造の導体から構成されるものである。
【００１４】
例えば、ヘリカル構造の導体は、放射導体の中心よりも給電点に近い位置に配置されるようになされる。また、ヘリカル構造の導体は、チップコイルである。
【００１５】
また例えば、チップコイルによって誘起される磁界の方向がその近傍にある金属面に対して平行であるように、チップコイルが配置される。
【００１６】
また例えば、放射導体は、中心よりも先端部に近い部分の導体幅が、給電点に近い部分の導体幅よりも広くなるように、容量負荷部が設けられる。
【００１７】
この発明においては、不平衡線路のグランド線につながる放射導体より、信号線につながる放射導体の電気長を長くするように、信号線につながる放射導体、または両方の放射導体の一部分が所定電気長のヘリカル構造の導体から構成される。ここで、ヘリカル構造の導体は立体的なつるまき線や二次元の渦巻き状にしたものが考えられる。
【００１８】
これにより、グランド線よりも信号線の方が電圧変化が大きい不平衡線路を介してダイポールアンテナに給電する際に、それぞれの線につながる２つの放射導体に均等に電流が分配されるため、給電部に平衡と不平衡の変換を行うバランを設ける必要がなく、アンテナの特性を向上することができると共に、小型化を図ることが可能となる。
【００１９】
また、ダイポールアンテナの放射導体の一部をヘリカル構造にすることで、その近傍に強い磁界および電界が集中し、まわりに漏れ出す磁界および電界が小さくなるため、ヘリカル構造を持たない従来のダイポールアンテナに比べて周辺環境によるアンテナの特性変化が小さい。例えば、従来のダイポールアンテナはアンテナを手で覆ったり金属板の近くに設置した場合に利得が大きく劣化するが、ヘリカル構造を使って小型化したダイポールアンテナはそのような環境下でも利得が低下する度合いが小さい。
【００２０】
また、チップコイルを用いることで、チップコイルは基材内に導体が立体的に構成されているので、３次元的に流れる電流成分が存在するため、すべての方向の偏波について、ある程度の感度を持つことが可能となる。
【００２１】
また、チップコイルを用いるため、チップコイルの内部の導体の長さを変更し、即ちチップコイルのインダクタンスを変更するだけで放射導体の長さの変更ができるので、ダイポールアンテナの共振周波数を簡単に調整することが可能となる。また、チップコイルの近傍にあるＲＦコネクタ等の金属面によりアンテナの特性に与える影響を抑えることが可能となる。
【００２２】
また、放射導体の先端に幅広の容量負荷部を設けたことで、容量負荷部を設けない場合に比べてヘリカル構造の導体に流れる電流の量が大きいため、ダイポールアンテナをより効果的に小型化することが可能となる。即ち、同じ共振周波数のダイポールアンテナを作る場合、ヘリカル構造の導体の巻き数を少なくし、放射導体の物理的な長さを短くすることができる。導体の長さが短ければ直流抵抗が小さいので、ダイポールアンテナの内部で熱として失われる電力が減り、ダイポールアンテナの放射利得が高くなる。
【発明の効果】
【００２３】
この発明によれば、不平衡線路を介して給電されるダイポールアンテナにおいて、不平衡線路のグランド線につながる放射導体より、信号線につながる放射導体の電気長を長くするように、信号線につながる放射導体、または両方の放射導体の一部分が所定電気長のヘリカル構造の導体から構成されるものであり、ダイポールアンテナに不平衡線路を介して給電する際に、給電部に平衡と不平衡の変換を行うバランを設ける必要がなく、アンテナの特性を向上することができると共に、小型化を図ることができる。
【発明を実施するための最良の形態】
【００２４】
以下、図面を参照しながら、この発明の実施の形態のダイポールアンテナについて説明する。
【００２５】
図１は、本発明の第１の実施の形態のダイポールアンテナ１００の構成を示す図である。図１に示すように、ダイポールアンテナ１００は、放射導体１０Ａ，１０Ｂから構成されている。ここで、放射導体１０Ａ，１０Ｂは、線状放射導体１１，１２と、ヘリカル構造の導体１３，１４とから構成される。
【００２６】
線状放射導体１１，１２は、例えば所定電気長の金属線からなるものである。この例の場合、線状放射導体１１は、ヘリカル構造の導体１３を介して不平衡線路の信号線に接続されている。また、線状放射導体１２は、ヘリカル構造の導体１４を介して不平衡線路のグランド線に接続されている。
【００２７】
ヘリカル構造の導体１３，１４は、螺旋状に形成されており、不平衡線路の近傍に設けられる。ヘリカル構造の導体１３は、信号線につながる放射導体１０Ａの一部として機能する。また、ヘリカル構造の導体１４は、グランド線につながる放射導体１０Ｂの一部として機能する。そのため、ダイポールアンテナ１００のサイズを小さくすることが可能である。
【００２８】
また、アンテナの基本周波数の近傍での共振周波数を一つにするために、グランド線につながる放射導体１０Ｂより、信号線につながる放射導体１０Ａの電気長を長くするように、ヘリカル構造の導体１３のインダクタンスは、ヘリカル構造の導体１４のインダクタンスよりも大きくなるようにされる。この場合、信号線につながる放射導体１０Ａと、グランド線につながる放射導体１０Ｂとの合計電気長は２分の１波長になる。
【００２９】
図１に示すダイポールアンテナ１００は、不平衡線路を介して給電される場合、不平衡線路により広い周波数帯域に渡って効果的に給電を行うことができる。図２に示すように、ダイポールアンテナ１００の基本周波数の近傍に１つの周波数で共振点が形成することができる。
【００３０】
このように本実施の形態においては、ダイポールアンテナ１００は、不平衡線路のグランド線につながる放射導体１０Ｂより、信号線につながる放射導体１０Ａの電気長を長くするように、放射導体１０Ａ，１０Ｂの一部分がヘリカル構造の導体１３，１４から構成される。この場合、ヘリカル構造の導体１３のインダクタンスは、ヘリカル構造の導体１４のインダクタンスよりも大きくなるようにされ、且つ信号線につながる放射導体１０Ａと、グランド線につながる放射導体１０Ｂとの合計電気長は２分の１波長になる。
【００３１】
これにより、ダイポールアンテナ１００に不平衡線路を介して給電する際に、放射導体と不平衡線路の間に平衡と不平衡の変換を行うバランを設ける必要がなく、アンテナの特性を向上することができると共に、小型化を図ることができる。
【００３２】
また、螺旋状のヘリカル構造の導体１３，１４を用いることで、ヘリカル構造の導体１３，１４が立体的に構成されているので、３次元的に流れる電流成分が存在するため、すべての方向の偏波について、ある程度の感度を持つことができる。
【００３３】
また、アンテナの放射導体の一部をヘリカル構造にすることで、その近傍に強い磁界および電界が集中し、まわりに漏れ出す磁界および電界が小さくなるため、ヘリカル構造を持たない従来のアンテナに比べて周辺環境によるアンテナの特性変化が小さい。例えば、従来のダイポールアンテナはアンテナを手で覆ったり金属板の近くに設置した場合に利得が大きく劣化するが、ヘリカル構造を使って小型化したダイポールアンテナはそのような環境化でも利得が低下する度合いが小さい。
【００３４】
図３は、本発明の第２の実施の形態のダイポールアンテナ２００の構成を示す図である。図３（ａ）はダイポールアンテナ２００の側面図であり、図３（ｂ）はダイポールアンテナ２００の平面図である。ダイポールアンテナ２００は、渦巻き状のヘリカル構造を放射導体の一部として用いる例である。
【００３５】
図３に示すように、ダイポールアンテナ２００は、放射導体２０Ａ，２０Ｂと、給電部としてのＲＦコネクタ２５とから構成されている。ここで、放射導体２０Ａ，２０Ｂは、パターン状放射導体２１，２２と、ヘリカル構造の導体２３，２４とから構成される。
【００３６】
パターン状放射導体２１，２２は、プリント基板上に形成された所定電気長のパターンである。このパターン状放射導体２１，２２は、スルーホールによりプリント基板の反対側に形成されたヘリカル構造の導体２３，２４と電気的に接続されている。この例の場合、パターン状放射導体２１は、ヘリカル構造の導体２３を介して不平衡線路の信号線に接続されている。また、パターン状放射導体２２は、ヘリカル構造の導体２４を介して不平衡線路のグランド線に接続されている。
【００３７】
ヘリカル構造の導体２３，２４は、プリント基板上に形成された渦巻き状のヘリカル構造のパターンであり、給電部としてのＲＦコネクタ２５の近傍に設けられる。ヘリカル構造の導体２３は、信号線につながる放射導体２０Ａの一部として機能する。また、ヘリカル構造の導体２４は、グランド線につながる放射導体２０Ｂの一部として機能する。そのため、ダイポールアンテナ２００のサイズを小さくすることが可能である。
【００３８】
また、アンテナの基本周波数の近傍での共振周波数を一つになるために、グランド線につながる放射導体２０Ｂより、信号線につながる放射導体２０Ａの電気長を長くするように、ヘリカル構造の導体２３のインダクタンスは、ヘリカル構造の導体２４のインダクタンスよりも大きくなるようにされる。この場合、グランド線につながる放射導体と、信号線につながる放射導体との合計電気長は２分の１波長になる。
【００３９】
ＲＦコネクタ２５は、信号端子と、グランド端子とを有し、同軸ケーブルによりアンテナと送受信回路とを接続するためのコネクタである。
【００４０】
図３に示すダイポールアンテナ２００は、不平衡線路を介して給電される場合、基本周波数の近傍に１つの周波数で共振点が形成することができる（図２参照）。
【００４１】
このように本実施の形態においては、ダイポールアンテナ２００は、不平衡線路のグランドにつながる放射導体２０Ｂより、信号線につながる放射導体２０Ａの電気長を長くするように、放射導体２０Ａ，２０Ｂの一部分がヘリカル構造の導体２３，２４から構成される。この場合、ヘリカル構造の導体２３のインダクタンスは、ヘリカル構造の導体２４のインダクタンスよりも大きくなるようにされ、且つ信号線につながる放射導体２０Ａと、グランド線につながる放射導体２０Ｂとの合計電気長は２分の１波長になる。
【００４２】
これにより、ダイポールアンテナ２００に不平衡線路を介して給電する際に、給電部に平衡と不平衡の変換を行うバランを設ける必要がなく、アンテナの特性を向上することができると共に、小型化を図ることができる。
【００４３】
また、プリント基板上に形成された渦巻き状のヘリカル構造の導体２３，２４を用いることで、アンテナの製作が容易になり、コストの削減ができる。
【００４４】
図４は、本発明の第３の実施の形態のダイポールアンテナ３００の構成を示す図である。ダイポールアンテナ３００は、ヘリカル構造の導体としてチップコイルを用いる例である。
【００４５】
図４に示すように、ダイポールアンテナ３００は、放射導体３０Ａ，３０Ｂと、給電部としてのＲＦコネクタ３５とから構成されている。ここで、放射導体３０Ａ，３０Ｂは、パターン状放射導体３１，３２と、チップコイル３３，３４とから構成される。
【００４６】
パターン状放射導体３１，３２は、プリント基板上に形成された所定電気長のパターンである。この例の場合、パターン状放射導体３１は、ＲＦコネクタ３５の近傍に所定間隔を設けて２つの部分に形成され、この２つの部分はチップコイル３３で電気的に接続されている。パターン状放射導体３１は、不平衡線路の信号線に接続されている。また、パターン状放射導体３２は、ＲＦコネクタ３５の近傍に所定間隔を設けて２つの部分に形成され、この２つの部分はチップコイル３４で電気的に接続されている。このパターン状放射導体３１は、不平衡線路のグランド線に接続されている。
【００４７】
なお、パターン状放射導体３１，３２は、電波を放射する機能のほかに、チップコイル３３，３４を基板に固定する役割を果たす。これにより、他の補強治具を用いることなく、強固なダイポールアンテナ３００を作ることができる。
【００４８】
チップコイル３３，３４は、セラミック等の基材の表面あるいは内部に螺旋状に巻かれたヘリカル状導体を持つものである。また、チップコイル３３，３４は、例えば、巻線タイプ、積層タイプ、フィルムタイプなどがある。
【００４９】
チップコイル３３，３４は、給電部としてのＲＦコネクタ３５の近傍に設けられる。チップコイル３３は、信号線につながる放射導体３０Ａの一部として機能する。また、チップコイル３４は、グランド線につながる放射導体３０Ｂの一部として機能する。そのため、ダイポールアンテナ３００のサイズを小さくすることが可能である。
【００５０】
また、アンテナの基本周波数の近傍での共振周波数を一つになるために、グランド線につながる放射導体より、信号線につながる放射導体の電気長を長くするように、チップコイル３３のインダクタンスは、チップコイル３４のインダクタンスよりも大きくなるようにされる。この場合、グランド線につながる放射導体３０Ｂと、信号線につながる放射導体３０Ａとの合計電気長は２分の１波長になる。
【００５１】
ＲＦコネクタ３５は、信号端子と、グランド端子とを有し、同軸ケーブルによりアンテナと送受信回路とを接続するためのコネクタである。
【００５２】
図４に示すダイポールアンテナ３００は、不平衡線路を介して給電される場合、基本周波数の近傍に１つの周波数で共振点が形成することができる（図２参照）。
【００５３】
このように本実施の形態においては、ダイポールアンテナ３００は、不平衡線路のグランドにつながる放射導体３０Ｂより、信号線につながる放射導体３０Ａの電気長を長くするように、放射導体３０Ａ，３０Ｂの一部分としてチップコイル（ヘリカル構造の導体）３３，３４が設けられる。この場合、チップコイル３３のインダクタンスは、チップコイル３４のインダクタンスよりも大きくなるようにされ、且つ信号線につながる放射導体３０Ａと、グランド線につながる放射導体３０Ｂとの合計電気長は２分の１波長になる。
【００５４】
これにより、ダイポールアンテナ３００に不平衡線路を介して給電する際に、給電部に平衡と不平衡の変換を行うバランを設ける必要がなく、アンテナの特性を向上することができると共に、小型化を図ることができる。
【００５５】
また、基材内に導体が立体的に構成されているチップコイル３３，３４を用いることで、３次元的に流れる電流成分が存在するため、すべての方向の偏波について、ある程度の感度を持つことができる。
【００５６】
また、チップコイル３３，３４を用いるため、チップコイル３３，３４の内部の導体の長さを変更し、即ちチップコイル３３，３４のインダクタンスを変更するだけで放射導体の長さの変更ができるので、ダイポールアンテナ３００の共振周波数を簡単に調整することができる。
【００５７】
図５は、本発明の第４の実施の形態のダイポールアンテナ４００の構成を示す図である。ダイポールアンテナ４００は、ヘリカル構造の導体としてチップコイルを用い、且つ放射導体の先端に容量負荷部を設ける例である。
【００５８】
図５に示すように、ダイポールアンテナ４００は、放射導体４０Ａ，４０Ｂと、給電部としてのＲＦコネクタ４５とから構成されている。ここで、放射導体４０Ａ，４０Ｂは、パターン状放射導体４１，４２と、チップコイル４３，４４とから構成される。
【００５９】
パターン状放射導体４１，４２は、プリント基板上に形成された所定電気長のパターンである。この例の場合、パターン状放射導体４１，４２は、ＲＦコネクタ４５に近い部分がミアンダ構造部とされ、先端部分が幅広の容量負荷部とされている。また、ミアンダ構造部には間断箇所が設けられ、この間断箇所にチップコイル４３，４４が設けられ、電気的に接続される。
【００６０】
なお、パターン状放射導体４１，４２は、電波を放射する機能のほかに、チップコイル４３，４４を基板に固定する役割を果たす。これにより、他の補強治具を用いることなく、強固なダイポールアンテナ４００を作ることができる。
【００６１】
チップコイル４３，４４は、セラミック等の基材の表面あるいは内部に螺旋状に巻かれたヘリカル状導体を持つものである。また、チップコイル４３，４４は、例えば、巻線タイプ、積層タイプ、フィルムタイプなどがある。
【００６２】
チップコイル４３，４４は、給電部としてのＲＦコネクタ４５の近傍に、かつ、チップコイル４３，４４は自身が誘起される磁界の方向が近傍にあるＲＦコネクタ４５の金属面に対して平行になるように配置されている。チップコイル４３は、信号線につながる放射導体４０Ａの一部として機能する。また、チップコイル４４は、グランド線につながる放射導体４０Ｂの一部として機能する。そのため、ダイポールアンテナ４００のサイズを小さくすることが可能である。
【００６３】
放射導体４０Ａは、不平衡線路の信号線に接続されている。また、放射導体４０Ｂは、不平衡線路のグランド線に接続されている。
【００６４】
また、アンテナの基本周波数の近傍での共振周波数を一つにするために、グランド線につながる放射導体４０Ｂより、信号線につながる放射導体４０Ａの電気長を長くするように、チップコイル４３のインダクタンスは、チップコイル４４のインダクタンスよりも大きくなるようにされる。この場合、信号線につながる放射導体４０Ａと、グランド線につながる放射導体４０Ｂとの合計電気長は２分の１波長になる。
【００６５】
ＲＦコネクタ４５は、信号端子と、グランド端子とを有し、同軸ケーブルによりアンテナと送受信回路とを接続するためのコネクタである。
【００６６】
図５に示すダイポールアンテナ４００は、不平衡線路を介して給電される場合、基本周波数の近傍に１つの周波数で共振点が形成することができる（図２参照）。
【００６７】
このように本実施の形態においては、ダイポールアンテナ４００は、不平衡線路のグランドにつながる放射導体４０Ｂより、信号線につながる放射導体４０Ａの電気長を長くするように、放射導体４０Ａ，４０Ｂの一部分としてチップコイル（ヘリカル構造の導体）４３，４４が設けられる。この場合、チップコイル４３のインダクタンスは、チップコイル４４のインダクタンスよりも大きくなるようにされ、且つ信号線につながる放射導体４０Ａと、グランド線につながる放射導体４０Ｂとの合計電気長は２分の１波長になる。
【００６８】
これにより、ダイポールアンテナ４００に不平衡線路を介して給電する際に、給電部に平衡と不平衡の変換を行うバランを設ける必要がなく、アンテナの特性を向上することができると共に、小型化を図ることができる。
【００６９】
また、チップコイル４３，４４を用いるため、チップコイル４３，４４の内部の導体の長さを変更し、即ちチップコイル４３，４４のインダクタンスを変更するだけで放射導体の長さの変更ができるので、ダイポールアンテナ４００の共振周波数を簡単に調整することができる。
【００７０】
また、放射導体４０Ａ，４０Ｂの先端に幅広の容量負荷部を設けたことで、容量負荷部を設けない場合に比べてヘリカル構造の導体に流れる電流の量が大きいため、アンテナをより効果的に小型化することができる。即ち、同じ共振周波数のアンテナを作る場合、ヘリカル構造の導体の巻き数を少なくし、放射導体の物理的な長さを短くすることができる。導体の長さが短ければ直流抵抗が小さいので、アンテナの内部で熱として失われる電力が減り、アンテナの放射利得が高くなる。
【００７１】
また、チップコイル４３，４４の近傍にあるＲＦコネクタ４５等の金属面によりアンテナの特性に与える影響を抑えることができる。
【００７２】
なお、上述実施の形態においては、ダイポールアンテナについて説明したが、これに限定されるものではない。他の平衡線路を介して給電するアンテナに不平衡線路を介して給電される場合にもこの発明を適用できる。
【００７３】
また、上述実施の形態においては、ダイポールアンテナにおいて、不平衡線路のグランドにつながる放射導体より、信号線につながる放射導体の電気長を長くするように、２つの放射導体にヘリカル構造の導体を設けるものについて説明したが、これに限定されるものではない。例えば、信号線につながる放射導体のみにヘリカル構造の導体を設けてもよい。
【産業上の利用可能性】
【００７４】
以上のように、この発明に係るダイポールアンテナは、不平衡線路を介して給電されるアンテナシステムを備える送受信装置、特に小型、軽量、かつ高性能であることを要求される無線端末等の通信装置に適用できる。
【図面の簡単な説明】
【００７５】
【図１】第１の実施の形態のダイポールアンテナの構成例を示す図である。
【図２】不平衡線路を介して給電する場合のダイポールアンテナの共振特性を示す図である。
【図３】第２の実施の形態のダイポールアンテナの構成例を示す図である。
【図４】第３の実施の形態のダイポールアンテナの構成例を示す図である。
【図５】第４の実施の形態のダイポールアンテナの構成例を示す図である。
【図６】従来の平衡線路を介してダイポールアンテナに給電する例を示す図である。
【図７】従来の不平衡線路を介してダイポールアンテナに給電する例を示す図である。
【図８】従来の不平衡線路を介して直接に給電する場合のダイポールアンテナの共振特性を示す図である。
【符号の説明】
【００７６】
１０Ａ，１０Ｂ，２０Ａ，２０Ｂ，３０Ａ，３０Ｂ，４０Ａ，４０Ｂ・・・放射導体、１１，１２・・・線状放射導体、１３，１４，２３，２４・・・ヘリカル構造の導体、２５，３５，４５・・・ＲＦコネクタ、２１，２２，３１，３２，４１，４２・・・パターン状放射導体、３３，３４，４３，４４・・・チップコイル、１００，２００，３００，４００・・・ダイポールアンテナ
【図１】
2005260382.tif 000003
【図２】
2005260382.tif 000004
【図３】
2005260382.tif 000005
【図４】
2005260382.tif 000006
【図５】
2005260382.tif 000007
【図６】
2005260382.tif 000008
【図７】
2005260382.tif 000009
【図８】
2005260382.tif 000010